(57)【要約】【課題】簡単な構成で複数のパターンの同期信号に対応できる処理を、伝送帯域が複数用意されている場合にも対処できるようにする。【解決手段】１単位の同期信号が繰り返し送信され、１単位ごとに設定される送信パターン及び１単位の信号極性パターンが複数存在する場合に適用し、個別に受信信号を得る複数のブランチの受信系を備えた構成とする。各ブランチにて、受信信号を１単位周期で複数段遅延させ、その複数段遅延された受信信号から少なくとも２つの遅延位置の受信信号を、異なる組み合わせで複数取り出し、その複数の組み合わせの受信信号の中から、受信する同期信号パターンに応じて選択された組み合わせの少なくとも２つの遅延位置の受信信号を選択する。選択されたそれぞれの受信信号から相関検出を各ブランチで行い、各ブランチでの相関検出信号を複素乗算した信号から移動平均を求めて、同期信号検出を行う。【選択図】図１
2007324729.tif 000002
【特許請求の範囲】
【請求項１】
送信信号に含まれる既知の同期信号に基づいて受信信号の同期検出処理を行って前記送信信号を受信する受信方法であって、
前記既知の同期信号として、１単位の同期信号が所定周期繰り返し送信されると共に、前記１単位ごとに設定される送信周波数のパターン及び前記１単位ごとに設定される信号極性のパターンが複数存在する場合の受信方法において、
それぞれ個別に受信信号を得る複数のブランチの受信系を備えて、
各ブランチにて、受信信号を前記１単位周期で複数段遅延させ、その複数段遅延された受信信号から少なくとも２つの遅延位置の受信信号を、異なる組み合わせで複数取り出し、その複数の組み合わせの受信信号の中から、受信する同期信号パターンに応じて選択された組み合わせの少なくとも２つの遅延位置の受信信号を選択し、
前記選択されたそれぞれの受信信号から相関検出を各ブランチで行い、
各ブランチでの相関検出信号を複素乗算した信号から移動平均を求めて、前記同期信号検出を行うことを特徴とする
受信方法。
【請求項２】
請求項１記載の受信方法において、
各ブランチにて、受信信号から受信エネルギ及び移動平均を求め、その求められた値で、前記複素乗算信号から求められた移動平均の値を除算し、その除算された信号から同期信号検出を行うようにしたことを特徴とする
受信方法。
【請求項３】
請求項２記載の受信方法において、
各ブランチにて、異なる周波数帯で受信待ち受けを行い、
各ブランチの受信信号から受信エネルギ及び移動平均を求め、その求められた各ブランチの値で、前記複素乗算信号から求められた移動平均の値を除算し、その除算された信号から同期信号検出を行うようにしたことを特徴とする
受信方法。
【請求項４】
請求項１記載の受信方法において、
前記各ブランチの受信系では、それぞれ別の周波数を受信し、良好に受信したブランチの受信信号から同期信号検出を行うことを特徴とする
受信方法。
【請求項５】
請求項１記載の受信方法において、
前記各ブランチの受信系では、それぞれ別の周波数を受信し、各ブランチの受信信号を合成して同期信号検出を行うことを特徴とする
受信方法。
【請求項６】
請求項１記載の受信方法において、
前記送信信号として、周期的に送信周波数を変化させる周波数ホッピングを行う送信信号であり、
前記各ブランチは、前記周波数ホッピングで変化する複数の送信周波数の中のそれぞれ異なる送信周波数の信号を受信して、受信待ち受けを行うことを特徴とする
受信方法。
【請求項７】
請求項６記載の受信方法において、
前記複素乗算した前記各ブランチの信号を、前記周波数ホッピングで送信周波数が変化する周期に対応した期間、シフトさせて加算し、その加算信号の移動平均を求めて、前記同期信号検出を行うことを特徴とする
受信方法。
【請求項８】
請求項６記載の受信方法において、
各ブランチで受信した送信周波数が異なる受信信号の同期信号検出結果を比較して、前記周波数ホッピングを行っているバンドグループを判別することを特徴とする
受信方法。
【請求項９】
送信信号に含まれる既知の同期信号に基づいて受信信号の同期検出処理を行って前記送信信号を受信する受信機であって、
前記既知の同期信号として、１単位の同期信号が所定周期繰り返し送信されると共に、前記１単位ごとに設定される送信周波数のパターン及び前記１単位ごとに設定される信号極性のパターンが複数存在する場合における受信機において、
それぞれ受信周波数を個別に設定可能な複数のブランチを有し、それぞれのブランチとして、
受信信号を前記１単位周期で複数段遅延させる遅延手段と、
前記遅延手段で複数段遅延された受信信号から少なくとも２つの遅延位置の受信信号を、異なる組み合わせで複数取り出し、その複数の組み合わせの受信信号の中から、受信する同期信号パターンに応じて選択された組み合わせの少なくとも２つの遅延位置の受信信号を選択する選択手段と、
前記選択手段で選択されたそれぞれの受信信号から相関検出を行う複数の相関検出手段と、
前記複数の相関検出手段で検出された相関検出信号を複素乗算する複素乗算手段とを備え、
さらに、各ブランチの前記複素乗算手段で複素乗算された信号から移動平均を求める移動平均検出手段と、
前記移動平均検出手段で検出された移動平均から同期信号検出を行う同期検出手段とを備えたことを特徴とする
受信機。
【請求項１０】
請求項９記載の受信機において、
各ブランチが、受信信号から受信エネルギ及び移動平均を算出する受信エネルギ及び移動平均算出手段を備えて、
前記それぞれのブランチの受信エネルギ及び移動平均算出手段で算出された値で、前記移動平均検出手段の検出値を除算して、その除算された信号を前記同期検出手段に送る除算手段を備えたことを特徴とする
受信機。
【請求項１１】
請求項１０記載の受信機において、
各ブランチの受信手段毎に、異なる周波数帯で受信待ち受けを行い、
前記それぞれのブランチの受信エネルギ及び移動平均算出手段で算出された値で、前記移動平均検出手段の検出値を除算して、その除算された信号を前記同期検出手段に送る除算手段を備えたことを特徴とする
受信機。
【請求項１２】
請求項９記載の受信機において、
各ブランチの受信手段毎に、異なる周波数帯で受信待ち受けを行い、
前記各ブランチの受信周波数設定手段で受信した信号の内の、良好に受信したブランチの受信信号を選択して、前記同期検出手段に送るセレクタを備えたことを特徴とする
受信機。
【請求項１３】
請求項９記載の受信機において、
各ブランチの受信手段毎に、異なる周波数で受信待ち受けを行い、
各ブランチの受信信号を合成して、合成された信号を前記同期検出手段に送る合成手段を備えたことを特徴とする
受信機。
【請求項１４】
請求項９記載の受信機において、
各ブランチの受信手段毎に、それぞれ別の周波数ホッピング状態の受信周波数設定で受信待ち受けを行うことを特徴とする
受信機。
【請求項１５】
請求項１４記載の受信機において、
前記複素乗算した前記各ブランチの信号を、前記周波数ホッピングで送信周波数が変化する周期に対応した期間、シフトさせるシフト手段と、
前記シフト手段でシフトされたブランチの信号と、シフトされていないブランチの信号とを加算する加算手段と、
前記加算手段の出力から移動平均を求める移動平均算出手段とを備えて、
前記移動平均算出手段の出力から前記同期検出手段は同期信号検出を行うことを特徴とする
受信機。
【請求項１６】
請求項１４記載の受信機において、
各ブランチで受信した送信周波数が異なる受信信号の同期信号検出結果を比較して、前記周波数ホッピングを行っているバンドグループを判別する判別手段を備えたことを特徴とする
受信機。
【発明の詳細な説明】
【技術分野】
【０００１】
本発明は、無線又は有線のデジタル通信システムで受信する際に同期を確立するための処理を行う受信方法及びその受信方法を適用した受信機に係り、特に、プリアンブル相関を用いた同期タイミングの検出を行なう技術に関する。
【背景技術】
【０００２】
デジタル通信において、受信回路で復調を行うためには、まず受信信号の同期を確立することが必要である。図２１に従来の同期回路の構成例を示す。ここでは、送信信号には同期タイミングの検出等に用いる同期信号を含むプリアンブル信号が組み込まれているものとする。
【０００３】
まず、アンテナ１で受信したＲＦ周波数帯の受信信号は、搬送波信号発生器３で生成される搬送波信号を用いて、周波数変換器２で、ベースバンド帯の受信ベースバンド信号に周波数変換される。次に、この受信ベースバンド信号は、ＡＧＣ（自動ゲインコントロール）回路４で所定レベルの受信信号に調整された後、Ａ／Ｄ変換器５により、サンプリングされデジタル信号に変換される。
【０００４】
変換されたデジタル受信信号は、相関器６に送られて、受信ベースバンドデジタル信号と既知のプリアンブルコードとの相関をとって、相関値を出力する。この相関値は一般に複素数であるため、絶対値２乗演算器８により絶対値２乗を求め、極大値検出回路９に出力する。この極大値検出器８では、相関値の極大、あるいは、あらかじめ決められた閾値を越えるタイミングを同期タイミングとして出力する。
【０００５】
この図２１に示した同期検出構成は一般的な受信構成であるが、近年、無線伝送される信号として、比較的複雑な同期信号パターンの信号のものが存在し、同期信号を検出する構成が非常に複雑なものになってしまう場合がある。
【０００６】
即ち、例えば近年、「ウルトラワイドバンド（ＵＷＢ）通信」と呼ばれる、きわめて微弱なインパルス列に情報を載せて無線通信を行なう方式が、近距離超高速伝送を実現する無線通信システムとして注目され、その実用化が期待されている。現在、ＩＥＥＥ８０２．１５．３規格などにおいて、このようなウルトラワイドバンド通信のアクセス制御方式として、プリアンブルを含んだパケット構造のデータ伝送方式が提案されている。
【０００７】
一般に、室内で無線ネットワークを構築した場合、受信装置では直接波と複数の反射波・遅延波の重ね合わせを受信するというマルチパス環境が形成され、遅延ひずみに起因するシンボル間干渉が生じる。このため、ＯＦＤＭ（Orthogonal Frequency Division Multiplexing：直交周波数分割多重）方式に代表されるマルチキャリア伝送方式が適用される。
【０００８】
例えば、ＩＥＥＥ８０２．１５．３規格でも、ＯＦＤＭ変調方式を採用したＵＷＢ通信方式についての標準化が進められている。ＯＦＤＭ＿ＵＷＢ通信方式の場合、３．１〜４．８ＧＨｚの周波数帯をそれぞれ５２８ＭＨｚ幅からなる３つのサブバンドを周波数ホッピング（ＦＨ）し、各周波数帯が１２８ポイントからなるＩＦＦＴ／ＦＦＴを用いたＯＦＤＭ変調が検討されている。
【０００９】
特許文献１には、この種の信号から同期検出を行う場合の例についての開示がある。
【特許文献１】特開平１１−２１５０９７号公報
【発明の開示】
【発明が解決しようとする課題】
【００１０】
このＩＥＥＥ８０２．１５．３規格で規定された通信方式のように、周波数ホッピングを行うOFDM方式を通常 Multi-Band OFDM （MB-OFDM）方式というが、この方式では、同期獲得用信号であるプリアンブル送信においてもホッピングを行い、さらに、そのホッピングパターンとデータ送信パターン（これをTime Frequency Code;以下ＴＦＣという）も様々なタイプを有することが規定されている。
【００１１】
即ち、例えば図２２に示すように、ＴＦＣ１からＴＦＣ７まで７つのパターンが規定されて、その７つのパターンのいずれかで、同期信号であるプリアンブル信号を送信するようにしてある。具体的には、送信される周波数として、ｆ１，ｆ２，ｆ３の３つの周波数が用意され、この３つの周波数ｆ１，ｆ２，ｆ３のいずれかを使用して、１単位のプリアンブル信号（同期信号）を２４回（２４スロット）繰り返し送るようにしてある。図２２では、１２周期だけを示してある。
【００１２】
各パターンについて説明すると、ＴＦＣ１のパターンでは、図２２（ａ）に示すように、１単位のプリアンブル信号（同期信号）ごとに、周波数ｆ１，ｆ２，ｆ３の順に変化させる。ＴＦＣ２のパターンでは、図２２（ｂ）に示すように、１スロットのプリアンブル信号ごとに、周波数ｆ１，ｆ３，ｆ２の順に変化させる。ＴＦＣ３のパターンでは、図２２（ｃ）に示すように、２スロットのプリアンブル信号ごとに、周波数ｆ１，ｆ２，ｆ３の順に変化させる。ＴＦＣ４のパターンでは、図２２（ｄ）に示すように、２スロットのプリアンブル信号ごとに、周波数ｆ１，ｆ３，ｆ２の順に変化させる。ＴＦＣ５のパターンでは、図２２（ｅ）に示すように、全てのスロットのプリアンブル信号を周波数ｆ１で送信させ、ＴＦＣ６のパターンでは、図２２（ｆ）に示すように、全てのスロットのプリアンブル信号を周波数ｆ２で送信させ、ＴＦＣ７のパターンでは、図２２（ｇ）に示すように、全てのスロットのプリアンブル信号を周波数ｆ３で送信させる。また、ここでは示さないが（後述する実施の形態で説明する表２参照）、プリアンブル信号の信号極性（＋又は−）についても、特定のパターンに設定してある。
【００１３】
このようなＴＦＣパターンを有する同期信号を受信して検出するためには、非常に複雑な同期検出回路が必要になるという問題があった。図２３は、図２２に示した７種類のプリアンブル信号ＴＦＣ１〜ＴＦＣ７に対応した従来の受信構成例を示した図である。図２３は、図２２に示したＡ／Ｄ変換器５より後の同期検出構成を示してあり、端子１０ａに得られるデジタル信号を、受信エネルギ及び移動平均検出部１０に送ると共に、複数の相関器３１，３２，３３，３４，３５，３６に送るようにしてある。各相関器３１〜３６は、受信信号と既知のプリアンブル信号パターンとの相関をとる回路である。
【００１４】
ここで、相関器３１には、端子１０ａに得られる信号を直接送り、相関器３２には、端子１０ａに得られる信号をシフトレジスタ２１で遅延させて供給する。シフトレジスタ２１は、信号をプリアンブル信号の３スロット期間遅延させる遅延回路（ここでのプリアンブル信号の１スロットは１６５クロック周期）である。
【００１５】
このように相関器３１，３２に信号が供給されることで、例えば受信周波数が周波数ｆ１〜ｆ３（図１０）のいずれかで固定されているとすると、２つの相関器３１，３２では３スロット差で相関が検出されることになり、それぞれでプリアンブル信号との相関が３スロットごとに同時に検出された場合に、ＴＦＣ１又はＴＦＣ２のパターンの同期信号を検出したことになる。両相関器３１，３２の検出出力は、複素乗算器４１で複素乗算されて、ＴＦＣ１又はＴＦＣ２のパターンを検出した相関検出信号となる。
【００１６】
また、相関器３３には、端子１０ａに得られる信号を直接送り、相関器３４には、端子１０ａに得られる信号をシフトレジスタ２２で遅延させて供給する。シフトレジスタ２２は、信号をプリアンブル信号の１スロット期間遅延させる遅延回路である。
【００１７】
このように相関器３３，３４に信号が供給されることで、例えば受信周波数が周波数ｆ１〜ｆ３（図２２）のいずれかで固定されているとすると、２つの相関器３３，３４では１スロット差で相関が検出されることになり、それぞれでプリアンブル信号との相関が６スロットごとに同時に検出された場合に、ＴＦＣ３又はＴＦＣ４のパターンの同期信号を検出したことになる。両相関器３３，３４の検出出力は、複素乗算器４２で複素乗算されて、ＴＦＣ３又はＴＦＣ４のパターンを検出した相関検出信号となる。
【００１８】
また、相関器３５には、端子１０ａに得られる信号とシフトレジスタ２３で２スロット期間遅延させた信号とを加算器２６で加算させた信号を供給する。相関器３６には、端子１０ａに得られる信号をシフトレジスタ２３で１スロット期間遅延させた信号とシフトレジスタ２３で３スロット期間遅延させた信号とを加算器２７で加算させた信号を供給する。
【００１９】
このように相関器３５，３６に信号が供給されることで、例えば受信周波数がプリアンブル信号の送信周波数と一致するとして、相関器３５では１スロット目と３スロット目の加算信号から相関が検出され、相関器３６では２スロット目と４スロット目の加算信号から相関が検出されることになり、それぞれでプリアンブル信号との相関が検出された場合に、ＴＦＣ５，ＴＦＣ６，ＴＦＣ７のいずれかのパターンの同期信号を検出したことになる。両相関器３５，３６の検出出力は、複素乗算器４３で複素乗算されて、ＴＦＣ５，ＴＦＣ６，ＴＦＣ７のいずれかのパターンを検出した相関検出信号となる。
【００２０】
なお、対になった相関器３１と３２、３３と３４、３５と３６は、所定の時間シフトを行なった信号の相関値を出力することになる。
ここではプリアンブル信号の信号極性のパターンについて特に説明していないが（後述する実施の形態で詳細に説明）、プリアンブル信号は、送信される２４スロットの内の特定のスロット位置でのみ、極性が反転しているため、対になった相関器出力の複素乗算された結果が、その位置においてのみ極大値（あるいは極小値）になって、同期検出できるようにしてある。
【００２１】
各複素乗算器４１，４２，４３の出力は、セレクタ４４に供給されて、そのときに受信されるプリアンブル信号パターンに応じた系が選択される。セレクタ４４で選択された信号は、移動平均検出部５０に送られて、移動平均が検出される。具体的には、入力した信号をシフトレジスタ５１で遅延させた信号と遅延させてない信号との差分を減算器５２で検出し、その減算器５２の出力を加算器５３に供給して、加算器５３の出力を遅延回路４で１クロック期間させた信号と加算し、その加算出力を移動平均信号とする。
【００２２】
移動平均検出部５０で検出された移動平均信号は、除算器６１に供給されて、受信エネルギ及び移動平均検出部１０が出力する受信エネルギの平均値で除算されて、信号レベルを一定範囲とする規格化が行われ、除算器６１の出力を同期検出器６２に供給して、同期検出タイミングを確定させる同期検出処理を行う。
【００２３】
なお、受信エネルギ及び移動平均検出部１０では、入力信号をシフトレジスタ１１で６スロット周期遅延させた信号を絶対値２乗演算器１２で絶対値２乗演算するとともに、入力信号を直接絶対値２乗演算器１３に供給して絶対値２乗演算し、両信号の差分を減算器１４で得て、受信エネルギを得る。その得られた受信エネルギの値は、加算器１５に供給し、加算器１５の出力を遅延回路１６で１クロック期間させた信号と加算し、その加算出力を移動平均信号と、その受信エネルギの移動平均を除算器６１に供給する。
【００２４】
このようにして同期検出が行われるが、受信するプリアンブル信号パターン毎に、個別の相関検出器及び複素乗算器と、各相関検出器に接続されたシフトレジスタが必要であり、回路構成が非常に複雑になってしまう。即ち、１つの受信機で、様々なホッピングパターン、データ送信パターンで送信されたプリアンブル信号を受信する場合、当然、ひとつの同期獲得アルゴリズムでは同期獲得が困難であり、複数のアルゴリズムを持たざるを得ないため、図２３に示したように非常に構成が複雑化してしまう。つまるところ、受信機の同期検出部は複雑なものになり、デジタル回路は大きくなり、携帯性やコストの面で不利になることは必至である。
【００２５】
また、この種の伝送を行う際には、伝送周波数帯域として複数の帯域を用意して、システム構成により異なる伝送帯域を隣接したエリアで配置する場合や、或いは１つのエリア内でも伝送帯域を周期的に切替える周波数ホッピングを行う場合がある。このように複数の伝送帯域が存在するシステムの場合で、効率的な待ち受けを行うためには、用意されたそれぞれの伝送帯域ごとに受信して同期検出を行う受信処理系（ブランチ）が、伝送帯域の数に対応して複数必要になる。このように複数のブランチを備える構成とすると、さらに同期検出処理の構成が複雑化してしまう問題があった。
【００２６】
本発明はかかる点に鑑みてなされたものであり、簡単な構成で複数のパターンの同期信号に対応できる処理を、伝送帯域が複数用意されている場合にも対処できるようにすることを目的とする。
【課題を解決するための手段】
【００２７】
本発明は、受信する既知の同期信号として、１単位の同期信号が所定周期繰り返し送信されると共に、１単位ごとに設定される送信周波数のパターン及び１単位ごとに設定される信号極性のパターンが複数存在する場合において、それぞれ個別に受信信号を得る複数のブランチの受信系を備えた構成とした。そして、各ブランチにて、受信信号を１単位周期で複数段遅延させ、その複数段遅延された受信信号から少なくとも２つの遅延位置の受信信号を、異なる組み合わせで複数取り出し、その複数の組み合わせの受信信号の中から、受信する同期信号パターンに応じて選択された組み合わせの少なくとも２つの遅延位置の受信信号を選択する。選択されたそれぞれの受信信号から相関検出を各ブランチで行い、各ブランチでの相関検出信号を複素乗算した信号から移動平均を求めて、同期信号検出を行うようにしたものである。
【００２８】
このようにしたことで、各ブランチで、相関検出手段の入力段で、同期信号パターンに応じた選択処理を行うので、ブランチごとに１組の相関検出手段でいずれのパターンの同期信号であっても相関検出できるようになる。
【発明の効果】
【００２９】
本発明によると、ブランチごとに１組の相関検出手段でいずれのパターンの同期信号であっても、優れた特性で相関検出でき、多数の同期信号パターンに対応した同期検出のための構成を簡単にすることができる。従って、各ブランチで同時に複数の同期検出が可能になり、例えば伝送帯域が複数用意されたシステムでの同期検出効率を向上させることが可能となる。
【発明を実施するための最良の形態】
【００３０】
以下、本発明の一実施の形態を、図１〜図１７を参照して説明する。
【００３１】
本例においては、ＩＥＥＥ８０２．１５．３規格で規定されたＭＢ−ＯＦＤＭ方式の無線伝送信号を受信する受信機に適用した例としてある。まず、本例の場合に受信する信号の同期信号であるプリアンブル信号パターンについて説明すると、プリアンブル信号パターンは、既に図１０で説明したように、ＴＦＣ１〜ＴＦＣ７の７つのパターンを有する。図１０に示したＴＦＣ１〜ＴＦＣ７の７つのパターンの周波数変化は、表１に示す通りである。
【００３２】
【表１】
2007324729.tif 000003
【００３３】
また本例の場合には、１単位（１スロット）のプリアンブル信号は、２４スロット（２４周期）連続して送信されるように構成してあり、各スロットのプリアンブル信号の極性としては、表２に示す３つのパターン（シーケンス番号１〜３）に分類される。表２で−１と示されるスロットで、マイナスの極性となる。ここでの極性がマイナスの状態とは、プラスの極性の符号系列に対して、全て符号が反転した符号系列である状態である。
【００３４】
【表２】
2007324729.tif 000004
【００３５】
表２から判るように、いずれのパターンの場合であっても、２４スロット期間の最後のスロット期間の近傍で、プリアンブル信号の極性が反転するパターンとしてあり、その極性の反転を検出して、同期検出を行うようにしてある。なお、本例の場合には、受信処理を行う場合に、受信する信号がどのパターンのプリアンブル信号であるかが、予め判っているものとする。
【００３６】
図１は、本例の受信機の同期検出までの構成を示してある。本例においては、複数の受信系で構成される複数のブランチを備えた受信機としてあり、それぞれのブランチでの受信信号から同期検出を行う構成としてある。
図１の構成では、第１アンテナ１０１及び第２アンテナ２０１の２つのアンテナを備えて、それぞれのアンテナ１０１，２０１に接続された回路処理系で、別のブランチが構成されている。まず第１アンテナ１０１の受信系で構成されるブランチについて説明すると、第１アンテナ１０１で受信したＲＦ周波数帯の受信信号は、搬送波信号発生器１０３で生成される搬送波信号を用いて、周波数変換器１０２で、ベースバンド帯の受信ベースバンド信号に周波数変換される。次に、この受信ベースバンド信号は、ＡＧＣ（自動ゲインコントロール）回路１０４で所定レベルの受信信号に調整された後、アナログ／デジタル（Ａ／Ｄ）変換器１０５により、サンプリングされデジタル信号に変換される。
【００３７】
変換されたデジタル受信信号は、複数段直列に接続されたシフトレジスタ１０６，１０７，１０８で遅延させる。各シフトレジスタ１０６，１０７，１０８は、それぞれ受信するプリアンブル信号の１スロット期間（即ち１６５クロック期間）遅延させる遅延回路として機能する。
【００３８】
シフトレジスタ１０８の出力は、受信エネルギ及び移動平均検出部１２０に供給される。受信エネルギ及び移動平均検出部１２０内では、供給された遅延信号を更にシフトレジスタ１２１で遅延させた後、絶対値２乗演算器１２２で絶対値２乗演算するとともに、Ａ／Ｄ変換器１０５の出力を直接絶対値２乗演算器１２４に供給して絶対値２乗演算し、両信号の差分を減算器１２３で得る。減算器１２３で得た差分信号は、加算器１２５に供給し、加算器１２５の出力を遅延回路１２６で１クロック周期遅延させた信号と加算する。シフトレジス１２１では、プリアンブル信号の３スロット期間遅延させる（即ち４９５クロック期間遅延させる）処理が行われ、結果的に、２つの絶対値２乗演算器１２２，１２４で６スロット期間タイミングが異なる信号の演算が行われることになる。両絶対値２乗演算器１２２，１２４の演算出力は、減算器１２３で差分が検出され、その出力を加算器１２５に供給して、加算器１２５の出力を遅延回路１２６で１クロック期間させた信号と加算し、その加算出力を移動平均信号とする。このように構成したことで、受信エネルギの移動平均を得る。
【００３９】
受信エネルギ及び移動平均検出部１２０が出力する受信エネルギの移動平均は、加算器１０９に供給し、別のブランチの移動平均と加算する（別のブランチの構成については後述する）。
【００４０】
そして、Ａ／Ｄ変換器１０５の出力とシフトレジスタ１０８の出力とを第１の組としてセレクタ１３３に供給し、またＡ／Ｄ変換器１０５の出力とシフトレジスタ１０６の出力とを第２の組としてセレクタ１３３に供給する。さらにＡ／Ｄ変換器１０５の出力とシフトレジスタ１０７の出力とを、加算器１３１で加算するとともに、シフトレジスタ１０６の出力とシフトレジスタ１０８の出力とを、加算器１３２で加算し、両加算器１３１，１３２の加算出力を第３の組としてセレクタ１３３に供給する。
【００４１】
セレクタ１３３では、この受信機が受信するプリアンブルパターンに応じて、第１の組から第３の組のいずれかが選択される。そして、選択された組の２つの信号の一方は、相関器１３４に供給されて、既知のプリアンブル信号パターンとの相関が検出される。また、選択された組の２つの信号の他方は、相関器１３５に供給されて、既知のプリアンブル信号パターンとの相関が検出される。
【００４２】
２つの相関器１３４，１３５の出力は、複素乗算器１３６に供給されて複素乗算され、その複素乗算された信号を、加算器１３７に供給する。加算器１３７では、別のブランチの複素乗算出力と加算する。
【００４３】
加算器１３７の出力は、移動平均検出部１４０に供給して、相関検出信号の移動平均が検出されて、その検出された移動平均信号は、除算器１１０に供給し、受信エネルギ及び移動平均検出部１０９が出力する受信エネルギの平均値で除算して、信号レベルを一定範囲とする規格化が行われ、除算器１１０の出力を同期検出器１１１に供給して、同期検出タイミングを確定させる同期検出処理を行う。
【００４４】
次に、第２アンテナ２０１の受信系で構成されるブランチについて説明すると、第２アンテナ２０１で受信したＲＦ周波数帯の受信信号は、搬送波信号発生器２０３で生成される搬送波信号を用いて、周波数変換器２０２で、ベースバンド帯の受信ベースバンド信号に周波数変換される。周波数変換器２０２で受信される周波数帯については、第１アンテナ１０１の受信系で受信される周波数帯と等しい場合と、異なる場合とがある。周波数帯が異なる場合の、受信周波数帯の選定処理については後述する。受信ベースバンド信号は、ＡＧＣ（自動ゲインコントロール）回路２０４で所定レベルの受信信号に調整された後、Ａ／Ｄ変換器２０５により、サンプリングされデジタル信号に変換される。
【００４５】
変換されたデジタル受信信号は、複数段直列に接続されたシフトレジスタ２０６，２０７，２０８で遅延させる。各シフトレジスタ２０６，２０７，２０８は、それぞれ受信するプリアンブル信号の１スロット期間（即ち１６５クロック期間）遅延させる遅延回路として機能する。
【００４６】
シフトレジスタ２０８の出力は、受信エネルギ及び移動平均検出部２２０に供給される。受信エネルギ及び移動平均検出部２２０内では、供給された遅延信号を更にシフトレジスタ２２１で遅延させた後、絶対値２乗演算器２２２で絶対値２乗演算するとともに、Ａ／Ｄ変換器２０５の出力を直接絶対値２乗演算器２２４に供給して絶対値２乗演算し、両信号の差分を減算器２２３で得る。減算器２２３で得た差分信号は、加算器２２５に供給し、加算器２２５の出力を遅延回路２２６で１クロック周期遅延させた信号と加算する。シフトレジス２２１では、プリアンブル信号の３スロット期間遅延させる（即ち４９５クロック期間遅延させる）処理が行われ、結果的に、２つの絶対値２乗演算器２２２，２２４で６スロット期間タイミングが異なる信号の演算が行われることになる。両絶対値２乗演算器２２２，２２４の演算出力は、減算器２２３で差分が検出され、その出力を加算器２２５に供給して、加算器２２５の出力を遅延回路２２６で１クロック期間させた信号と加算し、その加算出力を移動平均信号とする。このように構成したことで、受信エネルギの移動平均を得る。
【００４７】
受信エネルギ及び移動平均検出部２２０が出力する受信エネルギの移動平均は、加算器２０９に供給し、第１アンテナ１０１に接続されたブランチの移動平均と加算する。
【００４８】
そして、Ａ／Ｄ変換器２０５の出力とシフトレジスタ２０８の出力とを第１の組としてセレクタ２３３に供給し、またＡ／Ｄ変換器２０５の出力とシフトレジスタ２０６の出力とを第２の組としてセレクタ２３３に供給する。さらにＡ／Ｄ変換器２０５の出力とシフトレジスタ２０７の出力とを、加算器２３１で加算するとともに、シフトレジスタ２０６の出力とシフトレジスタ２０８の出力とを、加算器２３２で加算し、両加算器２３１，２３２の加算出力を第３の組としてセレクタ２３３に供給する。
【００４９】
セレクタ２３３では、この受信機が受信するプリアンブルパターンに応じて、第１の組から第３の組のいずれかが選択される。そして、選択された組の２つの信号の一方は、相関器２３４に供給されて、既知のプリアンブル信号パターンとの相関が検出される。また、選択された組の２つの信号の他方は、相関器２３５に供給されて、既知のプリアンブル信号パターンとの相関が検出される。
【００５０】
２つの相関器２３４，２３５の出力は、複素乗算器２３６に供給されて複素乗算され、その複素乗算された信号を、加算器２３７に供給し、第１アンテナ１０１に接続されたブランチの複素乗算信号と加算する。
【００５１】
各ブランチのセレクタ１３３，２３３に供給される信号については、図５に示すように、既に図１で説明した第１の組ａと、第２の組ｂと、第３の組ｃの３つの組み合わせがあり、受信するプリアンブル信号パターンに応じて、セレクタ１３３，２３３で何れかの組が選択される。ここでは、図５に詳細を示すように、受信するプリアンブル信号パターンがＴＦＣ１又はＴＦＣ２である場合に第１の組ａを選択し、受信するプリアンブル信号パターンがＴＦＣ３又はＴＦＣ４である場合に第２の組ｂを選択し、受信するプリアンブル信号パターンがＴＦＣ５〜ＴＦＣ７のいずれかである場合に第３の組ｃを選択して、セレクタ１３３，２３３に接続された２つの相関器１３４，１３５又は２３４，２３５に受信信号を供給する。
【００５２】
２つの相関器１３４，１３５又は２３４，２３５の相関検出信号としては、例えば図９に示すように、プリアンブル信号を検出しているとき極大値を持つようになる。図１の説明に戻ると、２つの相関器１３４，１３５又は２３４，２３５の相関検出値は、一方の複素共役をとった後で、複素乗算器１３６又は２３６で複素乗算する。このように複素乗算することで、極性の反転を検知することができる。そして、２つのブランチの複素乗算出力を加算器１３７で加算した後に移動平均検出部１４０に供給して、相関検出信号の移動平均を検出する。移動平均を検出する構成としては、入力した信号をシフトレジスタ１４１で遅延させた信号と遅延させてない信号との差分を減算器１４２で検出し、その減算器１４２の出力を加算器１４３に供給して、加算器１４３の出力を遅延回路１４４で１クロック期間遅延させた信号と加算し、その加算出力を移動平均信号とする。ここではシフトレジスタ１４１は、３２クロック期間遅延させる。
【００５３】
移動平均検出部１４０で検出された移動平均信号は、除算器１１０に供給されて、２つのブランチの受信エネルギ及び移動平均検出部１２０，２２０が出力する受信エネルギの平均値を加算した信号で除算される。
【００５４】
このように移動平均処理を行なうことで、マルチパスによる遅延波の重畳の影響を下げることができる。即ち、データに遅延波が重畳されていると、相関器出力の極大値は単峰とならず複数の山が発生し、またその山の高さもばらついてしまうため、同期判断が非常に難しくなる。移動平均処理を行うことで、複数の極大値をひとつの山に括り、またその高さのばらつきも小さく抑えることができるため、安定した同期獲得を行うことが可能となる。ここで、移動平均の次数はマルチパスの次数や使用環境、装置コストから最適化されるべきものであり、一意に決定することはできないが、図１の例は好適な一例を示してある。
【００５５】
また、各ブランチの受信エネルギ及び移動平均検出部１２０，２２０については、観測されたデータ系列の平均電力を算出するものであるが、入力としてデータ系列の絶対値２乗を使用し、ある適切な区間で移動平均をとることで平均電力を測定している。例えば、図１の例では、６スロット分（９９０クロック区間）の移動平均を行っている。これは、受信するプリアンブル信号パターンの様々なデータ観測パターンから決定してある。もちろんこの区間も使用環境や装置のコスト等から最適化されるべきものであり、図１の構成に限定されるものではない。
【００５６】
このようにして、各ブランチの複素乗算器１３６，２３６の出力から移動平均されたデータを平均電力で規格化（割り算）することにより、規格化されたデータを持って、同期判断を行い、同期を獲得することが可能となる。
【００５７】
そして本例においては、各ブランチの受信エネルギの移動平均を加算して得ると共に、各ブランチの複素乗算出力を加算して、移動平均を得て、同期検出器１１１で同期検出する構成としてあるので、各ブランチの受信に基づいた良好な同期検出が行える。
【００５８】
ここで、受信するプリアンブル信号パターンがＴＦＣ１又はＴＦＣ２である場合を例に、図１０に各部の処理により算出されるデータの詳細な説明を示す。この場合には、図１０（ａ），（ｂ）に示すように、相関器１３４，１３５（又は相関器２３４，２３５）にそれぞれ、時間遅れの無い信号データと、３スロット分遅延した信号データを入力する。その結果、それぞれの相関器出力は図１０（ｃ），（ｄ）に示すように、鋭いピークをもつものが出力される。この図１０に示すピークは、マルチパスを考慮して遅延波も表現してある。それらの出力同士で片方を複素共役をとって複素乗算行った結果が、図１０（ｅ）に示す波形である。この出力は図１０（ｅ）に示すようにマルチパスにより山が多く存在している。この山群は、移動平均処理により平均化され、図１０（ｆ）に示すように単峰になる。その後、このデータを平均電力で規格化（割り算）し、規格化されたデータを持って、同期判断を行い、同期を獲得することが可能になる。
【００５９】
次に、本例での同期判断の処理について、図６のフローチャートを参照して説明する。この同期判断アルゴリズムは極大値検出部と閾値比較部の２段階構成となっている。
まず、バッファのデータとカウンタの初期値を０にセットしておく。新しいデータを取得する（ステップＳ１１）。取得したデータは、バッファのデータと比較され（ステップＳ１２）、もしバッファに格納されているデータよりも大きければ、バッファのデータと入れ替える（ステップＳ１３）。バッファのデータは、新規データに対してあらかじめ決めた回数（MaxCount回）以上入れ替わりが発生しなければ、極大値と認定し、次の閾値比較に入っていく（ステップＳ１４、Ｓ１５）。つまり極大値は、そのデータ後３２区間でさらに大きいものが観測されなければ、それを極大値と認定するのである。極大値と認定されればそれは同期の候補となる。
【００６０】
次に極大値と認定されたデータが同期であるかどうかの判断を行なう（ステップＳ１６）。この判断は、ある決められた閾値よりも大きいかどうかで行なう。もし、閾値よりも大きければ、同期と判断し、そうでなければ、同期と判断せず、継続となる。最上位のフローに戻り、新しいデータの取得から再開する。
【００６１】
この場合、極大値と認定されたにもかかわらず同期でなかったため、今後のデータでこの極大値よりも小さい値で極大値を認定しても同期でないのは明らかであるため、今後のデータはこの極大値を越えるかどうかが必要になる。したがって、カウンタはリセットするが、バッファのデータはリセットしない。
【００６２】
また、この図６のフローチャートに示したアルゴリズムでは、同期を複数回検出する可能性があるが、それをどう使用するかは設計依存であるため、ここでは深く言及しないが、例えば、最初の同期のみを同期とするようにすればよい。
【００６３】
次に、このようにして同期検出される処理を、図７、図８を参照して、各プリアンブルパターン毎に詳細に説明する。
【００６４】
まず、ＴＦＣ１とＴＦＣ２のパターンの同期を獲得する処理を、図７（ａ）を参照して説明する。この２つのパターンの場合、受信機は、特定の１つの周波数で連続して受信すると、３スロットに１回の割合でデータを受信することになる。表２から判るように、最後の受信データのみ極性が負であり、それ以外のデータはすべて極性が正であるため、この正が負に変わることを利用して同期を取るものである。即ち、図７（ａ）の最後の斜線を付与して示す２つのスロットのデータを相関検出した結果を複素乗算して、その複素乗算された値から同期検出を行う。
【００６５】
このようにして受信されるデータはプリアンブルデータであるため、相関器に通すと相関により極大値が現れる。図９に実際の相関器出力の一例を示す。したがって、このタイプの場合、３スロットに１回の割合で極大値が現れることになる。最後のデータのみ極性が負であるため、この部分のスロットのみ負の極大値となる。
【００６６】
正が負に変化する部分を検出するためには、例えば、乗算を行えばよい。乗算はその性質から正と正を乗算すると正となるが、正と負を乗算すると負となるので、自分自身と１スロット前の相関器出力の乗算を行えば、最後の結果のみが負の値となり、正が負に変化する部分を検出することが可能になる。実際の受信データは複素数であるが、数学的には乗算を複素乗算に置き換えることで全く同様に検出できる。このように、出力が負になるところを検出し同期判断を行なえば、ＴＦＣ１とＴＦＣ２のパターンの同期の獲得を行なうことが可能となる。
【００６７】
次に、ＴＦＣ３とＴＦＣ４のパターンの同期を獲得する処理を、図７（ｂ）を参照して説明する。この２つのパターンの場合にも、上述したＴＦＣ１とＴＦＣ２のパターンと同様な処理で同期を獲得することができる。即ち、図７（ｂ）に示すように、２スロット連続でデータが得られた後、４スロットデータの無い状態が続くというパターンの繰り返しでデータが観測される。そして、最後の２つの観測データの後ろ側のデータの極性が反転することでデータが終了する。
【００６８】
この場合も、まず相関器を通し、極大値を出し、その後、複素乗算を行う。しかしながら、先ほどのＴＦＣ１,ＴＦＣ２の場合と異なるところは、データが来る場合には連続するため、複素乗算はある時刻のデータと１スロット前のデータとで行う必要がある。このようにすることで、ＴＦＣ１,２のパターンの場合と全く同等の同期獲得を行なうことが可能となる。
【００６９】
次に、ＴＦＣ５,ＴＦＣ６,ＴＦＣ７のパターンの同期を獲得する処理を、図７（ｃ）を参照して説明する。この場合にも、基本的な考え方は他の２つの場合と同じであるが、受信データの極性反転が、途中でも起こっているため、工夫が必要となる。本例では、４スロット分のデータから１つおきに２つずつ取り出し、和（足し算）を行い、その和の結果同士を複素乗算する構成（図５の信号の組ｃ）としてある。これにより、途中で起こる極性反転の影響を無くすことができ、正しく負の極大値を得ることができる。
【００７０】
図８に、このＴＦＣ５,ＴＦＣ６,ＴＦＣ７のパターンの同期を獲得する場合の詳細を示してある。ＴＦＣ５,ＴＦＣ６,ＴＦＣ７のパターンの場合、観測されるすべてのパターンは、図８のタイミングａ〜タイミングｄの４つに分類される。例えば、タイミングａの場合、奇数番目のスロット同士と偶数番目同士の和を取って複素乗算を行うが、奇数番目同士は極性が異なるため、和を取ると０になってしまう。一方で偶数番目同士の和は負の値となるが、０との乗算を行うと結果０となってしまい、このタイミングａのタイプでは、０の出力しか出てこない。
【００７１】
次にタイミングｂのタイプの場合、今度は、偶数番目同士の和が０になってしまうため、乗算結果は０になってしまい、このタイミングｂのタイプでは、０の出力しか出てこない。また、タイミングｃのタイプの場合、奇数番目同士、偶数番目同士とも和が０になってしまうため、乗算結果は当然０になってしまい、このタイミングｃのタイプでは、０の出力しか出てこない。したがって、タイミングａ〜タイミングｃの３つでは、極性反転が起こっているにもかかわらず出力は０となるため、この部分での同期検出は行なわれないことになり、所望の結果が得られたことになる。
【００７２】
これに対して、同期が検出されるパターンであるタイミングｄのタイプの場合、奇数番目同士の和が負の極大値となり、偶数番目同士の和が正の値となるため、乗算を行うと負の値を得ることができる。したがって、タイミングｄのタイプのパターンが来たとき、つまり、最後の同期を取るべき時に正しく負の値が算出されることになり、正しい位置で同期獲得ができることがわかる。
【００７３】
以上が本例における各ＴＦＣ１〜ＴＦＣ７に対応した同期獲得処理であり、それらの相違点は、複素乗算を行う相手の時刻が異なるということだけである。したがって、ハードウエア的には複数個のシフトレジスタを用意し、あらかじめ決定されたＴＦＣに対してどのデータとどのデータを取り出し複素乗算を行うかということを図１に示したセレクタ１３３で選択することで、それぞれのＴＦＣに対応することが可能となるものである。
【００７４】
なお、図１に示した構成では、各ブランチの受信エネルギの移動平均を加算すると共に、各ブランチの相関器の複素乗算出力を加算した上で、同期検出する構成としたが、各ブランチの信号を加算させずに、セレクタで選択した後に、その選択された信号で同期検出するようにしてもよい。
即ち、図２に示す構成は、同期検出器１１１の前段に設けたセレクタ１１２で、２つのブランチの受信信号を選択する構成としたものである。図１の構成と相違する個所を中心に図２の構成を説明すると、図２の構成では、第１アンテナ１０１の受信信号を処理するブランチとして、２つの相関器１３４，１３５の出力を乗算器１３６で複素乗算した出力を、移動平均検出部１４０で検出する。移動平均検出部１４０の内部構成は図１の構成と同じである。
【００７５】
そして、移動平均検出部１４０で検出された移動平均を除算器１１０に供給し、受信エネルギ及び移動平均検出部１２０が出力する受信エネルギの移動平均で除算する。その除算出力を、第１のブランチの出力としてセレクタ１１２に供給する。
【００７６】
そして、第２アンテナ２０１の受信信号を処理するブランチとして、２つの相関器２３４，２３５の出力を乗算器２３６で複素乗算した出力を、移動平均検出部２４０で検出する。移動平均検出部２４０の内部構成は、移動平均検出部１４０と同じである。即ち、入力した信号をシフトレジスタ２４１で遅延させた信号と遅延させてない信号との差分を減算器２４２で検出し、その減算器２４２の出力を加算器２４３に供給して、加算器２４３の出力を遅延回路２４４で１クロック期間させた信号と加算し、その加算出力を移動平均信号とする。
【００７７】
そして、移動平均検出部２４０で検出された移動平均を除算器２１０に供給し、受信エネルギ及び移動平均検出部２２０が出力する受信エネルギの移動平均で除算する。その除算出力を、第２のブランチの出力としてセレクタ１１２に供給する。セレクタ１１２では、良好に受信できた信号を選択し、その選択された信号を同期検出器１１１に供給して同期検出させる。この図２に示す構成とすることでも、複数のブランチの受信結果を利用した良好な同期検出が可能になる。
【００７８】
また、複数のブランチで、時間的に異なるタイミングの信号を受信して処理する構成としてもよい。図３は、この場合の構成例を示した図である。図３に示す構成を、図１の構成と相違する個所を中心に説明すると、一方のブランチの複素乗算器１３６の複素乗算出力を加算器１３７に供給すると共に、他方のブランチの複素乗算器２３６の複素乗算出力を、シフトレジスタ２３７で遅延させた後に加算器１３７に供給する。シフトレジスタ２３７では、例えば同期信号の１周期に対応した期間遅延させる。加算器１３７の出力は、移動平均検出部１４０に供給して移動平均を検出させ、その出力を除算器１１０に供給する。
【００７９】
各ブランチの受信エネルギの移動平均については、各ブランチの受信エネルギ及び移動平均１２０及び２２０の出力を加算器１０９で加算する。そして、加算器１０９で加算された各ブランチの受信エネルギの移動平均を、除算器１１０に供給して、移動平均検出部１４０の出力を除算し、その除算信号を同期検出器１１１に供給して同期検出させる。この図３に示す構成とすることでも、複数のブランチの受信結果を利用した良好な同期検出が可能になる。
【００８０】
また、複数のブランチで、時間的に異なるタイミングの信号を受信して処理する構成とする場合、図２に示した構成において、２つのブランチの出力の内の１つをシフトレジスタで遅延させる構成としてもよい。即ち、例えば図４に示すように、一方のブランチの除算器１１０の出力を、そのままセレクタ１１２に供給し、他方のブランチの除算器２１０の出力を、シフトレジスタ２１１の出力をセレクタ１１２に供給し、セレクタ１１２で何れか一方の出力を選択する。シフトレジスタ２１１では、例えば同期信号の１周期に対応した期間遅延させる。このように構成することでも、複数のブランチの受信結果を利用した良好な同期検出が可能になる。
【００８１】
次に、ここまで説明した２つのブランチを用意して受信して、同期信号を検出する処理を行う場合において、２つのブランチで異なる周波数帯を受信して同期検出を行う処理例について説明する。送信信号が伝送されるのを受信機で待ち受ける、待ち受け状態においては、複数の異なる周波数帯で受信することが必要な場合がある。即ち、例えば図１１に示すように、第１アンテナ１０１に接続された周波数変換器１０２（一方のブランチ）で受信する周波数帯としてバンドＡとし、第２アンテナ２０１に接続された周波数変換器２０２（他方のブランチ）で受信する周波数帯としてバンドＢとなるように、ＲＦコントローラ９９で受信周波数を設定させる。周波数変換器１０２の出力と周波数変換器２０２の出力に基づいて、同期回路１００で同期検出処理を実行させる。同期回路１００は、例えば図１，図２，図３，図４に示した構成のいずれかの構成で同期検出を行うものである。
【００８２】
そして、このように複数の周波数帯で待ち受ける場合において、一定周期で送信周波数が変化する周波数ホッピングに対応させるようにしてもよい。即ち、例えば送信周波数帯域として、バンドＡ，バンドＢ，バンドＣの３つの帯域が用意されて、それぞれの帯域を交互に使用した周波数ホッピングが行われているとする。このとき、一方のブランチ（第１の受信系）では、図１２（ａ）に示すように、待ち受けをバンドＡで行い、周波数ホッピングの開始に同期して、一定周期で、バンドＡ→バンドＢ→バンドＣ→バンドＡ→‥‥と変化させる。他方のブランチ（第２の受信系）では、図１２（ｂ）に示すように、待ち受けをバンドＢで行い、周波数ホッピングの開始に同期して、一定周期で、バンドＡ→バンドＢ→バンドＣ→バンドＡ→‥‥と変化させ、周波数ホッピング中には同じ周波数を受信させる。この図１２に示すように待ち受け時だけ２つの系で異なる周波数帯を受信させることで、同期検出がより良好に行える。なお、このように周波数ホッピングを行う場合で、待ち受け時にも、２つのブランチで同じ周波数帯を受信させてもよい。
【００８３】
なお、送信信号が複数のサブキャリアで構成されるマルチキャリア信号であり、特定の周波数帯で送信されるマルチキャリア信号の特定のサブキャリアだけが送信電力が無い状態である場合にも、良好に受信して同期検出をすることができる。
以下、その場合の処理例について説明すると、通常のマルチキャリアの送信信号は、図１３（ａ）に示すように、データを送信することになっているサブキャリアの全てで送信を行う。図１３（ａ）は、バンドＡ（中心周波数ＦＡ），バンドＢ（中心周波数ＦＢ），バンドＣ（中心周波数ＦＣ）を示してある。ここで、例えば図１３（ｂ）に示すように、バンドＡのサブキャリアＩ〜サブキャリアＩ＋Ｊの、データ信号を送らないサブキャリアが存在するとする。
【００８４】
この図１３（ｂ）に示すような送信電力が無いサブキャリアが特定のバンドに存在すると、バンドＡで受信待ち状態を行っている場合、同期結果にずれが生じてしまう。
この同期結果のずれを回避するための処理を、図１４のフローチャートに示す。この例では、まず一方のブランチでバンドＡの受信を行い、他方のブランチでバンドＢの受信を行い、受信待ち受けを行う（ステップＳ２１）。そして、同期獲得後、バンドＡとバンドＢでの同期結果を比較する（ステップＳ２２）。ここで、どちらかのバンドに、送信電力のないサブキャリアが存在した場合、結果に差がでる。差が出た場合は良好な方の結果を使用する。即ち、バンドＡの同期獲得結果が良好である場合には、バンドＡの同期獲得結果を利用して受信タイミング設定などの受信処理を行う（ステップＳ２３）。バンドＢの同期獲得結果が良好である場合には、バンドＢの同期獲得結果を利用して受信タイミング設定などの受信処理を行う（ステップＳ２４）。さらに、バンドＡとバンドＢでの同期結果にほぼ差がない場合には、送信電力のないサブキャリアが存在しなかったと判断し、バンド違いによる誤差などを補正後に両方の同期結果を使用する（ステップＳ２５）。
【００８５】
受信待ち受けを行うバンドが複数存在する例としては、バンドグループに重なりがある場合が考えられる。即ち、例えば図１５に示すように、バンド♯１〜バンド♯６の６つの伝送バンドとして用意されて、バンドグループ♯１は、バンド♯１〜バンド♯３を使用して周波数ホッピングを行い、バンドグループ♯２は、バンド♯４〜バンド♯６を使用して周波数ホッピングを行い、バンドグループ♯３は、バンド♯３〜バンド♯５を使用して周波数ホッピングを行う構成であるとし、それぞれのバンドグループで同じプリアンブル信号を使用しているとする。そして、例えば図１６に示すように、バンドグループ♯１とバンドグループ♯３が隣接したエリアに存在し、両エリアが重なる領域で待ち受けを行う場合を想定する。
【００８６】
このような場合、例えばバンド♯３で受信待ち受けを行うと、バンドグループ♯１のプリアンブルで同期を獲得してしまう。これにより受信を開始してしまう。このことを回避する処理例を図１７のフローチャートに示す。この例では、まず一方のブランチでバンド♯３の受信を行い、他方のブランチでバンド♯４の受信を行い、受信待ち受けを行う（ステップＳ３１）。そして、同期獲得後、バンド♯３とバンド♯４での同期結果を比較する（ステップＳ３２）。ここで、バンド♯３の同期獲得結果のみが良好である場合には、バンドグループ♯１と判断して、バンドグループ♯１の周波数ホッピングに同期させて受信処理を行う（ステップＳ３３）。バンド♯４の同期獲得結果のみが良好である場合には、バンドグループ♯２と判断して、バンドグループ♯２の周波数ホッピングに同期させて受信処理を行う（ステップＳ３４）。さらに、バンド♯３とバンド♯４での同期結果にほぼ差がない場合には、バンドグループ♯３と判断して、バンドグループ♯３の周波数ホッピングに同期させて受信処理を行う（ステップＳ３５）。
【００８７】
このように複数のブランチでの受信結果を使用することで、より良好な待ち受けが可能になる。
【００８８】
なお、図１、図２、図３、図４に示した受信構成（同期検出構成）では、複素乗算された相関値の移動平均を、受信エネルギの移動平均で除算するようにしたが、受信エネルギの移動平均で除算する処理は省略した構成としてもよい。図１８、図１９、図２０は、図１、図２、図３に示した同期検出構成から、それぞれ受信エネルギ及び移動平均検出部１２０，２２０と、除算器１１０，２１０を除いた構成としたものである。その他の部分は、図１、図２、図３と同様に構成する。図４の構成で受信エネルギ及び移動平均検出部１２０，２２０を除いた構成についても図示はしないが、可能である。
【００８９】
受信系が備える自動ゲインコントロール回路（いわゆるＡＧＣ回路）での処理で、受信信号のゲインが安定している場合には、このような図１８、図１９、図２０に示した受信エネルギの移動平均で除算しない構成としても、良好に同期検出が可能である。
【００９０】
また、図１、図２、図３に示した受信エネルギ及び移動平均検出部１２０及び２２０として、シフトレジスタ１０８又は２０８の出力を、単純に基準となる一定信号で除算した信号で、受信エネルギの平均を推定する構成としてもよい。
【００９１】
また、ここまで説明した実施の形態では、図１、図２に示した回路構成が組まれた受信機に適用した例として説明したが、例えば同様の同期検出処理方法の一部又は全てをプログラム化して、そのプログラムの実行で行うようにしてもよい。
【００９２】
また、上述した実施の形態では、ＩＥＥＥ８０２．１５．３規格で規定されたMB-OFDM
方式の無線信号を受信する場合に適用したが、有線信号の受信に適用してもよく、また同様に複数の同期信号パターンから同期信号を検出する他の通信方式の受信処理にも適用可
能である。
【図面の簡単な説明】
【００９３】
【図１】本発明の一実施の形態による受信構成例（例１）を示すブロック図である。
【図２】本発明の一実施の形態による受信構成例（例２）を示すブロック図である。
【図３】本発明の一実施の形態による受信構成例（例３）を示すブロック図である。
【図４】本発明の一実施の形態による受信構成例（例４）を示すブロック図である。
【図５】本発明の一実施の形態によるセレクタの例を示した構成図である。
【図６】本発明の一実施の形態による同期検出処理例を示したフローチャートである。
【図７】本発明の一実施の形態による各パターンの信号の検出例を示す説明図である。
【図８】本発明の一実施の形態によるＴＦＣ５，ＴＦＣ６，ＴＦＣ７の同期信号受信時の各タイミングでの受信状態を示した説明図である。
【図９】本発明の一実施の形態による検出波形の例を示す波形図である。
【図１０】本発明の一実施の形態による検出例を示すタイミング図である。
【図１１】本発明の一実施の形態による受信待ち受け状態を説明するための原理図である。
【図１２】本発明の一実施の形態による受信周波数設定例を示すタイミング図である。
【図１３】本発明の一実施の形態で受信する送信信号の例を示す波形図である。
【図１４】本発明の一実施の形態による同期処理例（例１）を示したフローチャートである。
【図１５】バンドグループに重なりがある設定の例（バンドの例）を示す説明図である。
【図１６】バンドグループに重なりがある設定の例（エリアの例）を示す説明図である。
【図１７】本発明の一実施の形態による同期処理例（例２）を示したフローチャートである。
【図１８】本発明の他の実施の形態による受信構成例（例１）を示すブロック図である。
【図１９】本発明の他の実施の形態による受信構成例（例２）を示すブロック図である。
【図２０】本発明の他の実施の形態による受信構成例（例３）を示すブロック図である。
【図２１】従来の受信構成例を示すブロック図である。
【図２２】プリアンブル信号の伝送パターンの例を示す説明図である。
【図２３】従来の同期検出構成例を示すブロック図である。
【符号の説明】
【００９４】
１０１…第１アンテナ、１０２…周波数変換器、１０３…搬送波信号発生器、１０４…ＡＧＣ回路、１０５…Ａ／Ｄ変換器、１０６，１０７，１０８…シフトレジスタ、１０９…加算器、１１０…除算器、１１１…同期検出器、１１２…セレクタ、１２０…受信エネルギ及び移動平均検出部、１３１，１３２…加算器、１３３…セレクタ、１３４，１３５…相関器、１３６…複素乗算器、１３７…加算器、１３８…同期検出器、１４０…移動平均検出部、２０１…第２アンテナ、２０２…周波数変換器、２０３…搬送波信号発生器、２０４…ＡＧＣ回路、２０５…Ａ／Ｄ変換器、２０６，２０７，２０８…シフトレジスタ、２２０…受信エネルギ及び移動平均検出部、２３１，２３２…加算器、２３３…セレクタ、２３４，２３５…相関器、２３６…複素乗算器
【図１】
2007324729.tif 000005
【図２】
2007324729.tif 000006
【図３】
2007324729.tif 000007
【図４】
2007324729.tif 000008
【図５】
2007324729.tif 000009
【図６】
2007324729.tif 000010
【図７】
2007324729.tif 000011
【図８】
2007324729.tif 000012
【図９】
2007324729.tif 000013
【図１０】
2007324729.tif 000014
【図１１】
2007324729.tif 000015
【図１２】
2007324729.tif 000016
【図１３】
2007324729.tif 000017
【図１４】
2007324729.tif 000018
【図１５】
2007324729.tif 000019
【図１６】
2007324729.tif 000020
【図１７】
2007324729.tif 000021
【図１８】
2007324729.tif 000022
【図１９】
2007324729.tif 000023
【図２０】
2007324729.tif 000024
【図２１】
2007324729.tif 000025
【図２２】
2007324729.tif 000026
【図２３】
2007324729.tif 000027